(57)【要約】      （修正有）【課題】液体や灰、塵などが内部に進入することを確実に防ぎ、繰り返し使用することができる防水通気部材を具えた電子看板を提供する。【解決手段】本体３０を含んでなり、本体は長手方向に少なくとも１以上の第一側面と第一側面に対向して形成された第二側面３２を具え、第二側面には少なくとも１以上の貫通孔が形成され、貫通孔は少なくとも１以上の防水通気部材３３の保護層を設けてなり、且つ防水通気部材が貫通孔の面積よりも大きく形成される。【選択図】図５
0003123796.tif 000002
【実用新案登録請求の範囲】
【請求項１】
本体を含んでなり、
該本体は長手方向に少なくとも１以上の第一側面と該第一側面に対向して形成された第二側面を具え、該第二側面には少なくとも１以上の貫通孔が形成され、該貫通孔は少なくとも１以上の防水通気部材の保護層を設けてなり、且つ該防水通気部材が貫通孔の面積よりも大きく形成されることを特徴とする電子看板。
【請求項２】
前記防水通気部材が貫通孔の内側の側面に緊密に貼着することを特徴とする請求項１に記載の電子看板。
【請求項３】
前記防水通気部材が貫通孔の外側の側面に緊密に貼着することを特徴とする請求項１に記載の電子看板。
【請求項４】
前記本体は第一側面が表示装置であって、視覚的な画像などを表示することを特徴とする請求項１に記載の電子看板。
【請求項５】
前記防水通気部材は、複数の貫通孔を形成、もしくは設けてなり、気体が本体の内側から外側、外側から内側へ通過することができることを特徴とする請求項１に記載の電子看板。
【請求項６】
前記防水通気部材は、取り外して洗浄し、繰り返し使用することができることを特徴とする請求項１もしくは５に記載の電子看板。
【請求項７】
前記防水通気部材は、ナイロン、ポリプロピレン（ＰＰ）、ポリエチレン（ＰＥ）、ポリエステルなどの材質から形成するか、もしくはそれらを混合した材質から形成することを特徴とする請求項６に記載の電子看板。
【請求項８】
前記防水通気部材は、ナイロン、ポリプロピレン（ＰＰ）、ポリエチレン（ＰＥ）、ポリエステルなどの材質から形成するか、もしくはそれらを混合した材質から形成することを特徴とする請求項１、２もしくは３に記載の電子看板。
【考案の詳細な説明】
【技術分野】
【０００１】
この考案は、電子看板に関し、特に屋外で宣伝や伝言などを掲示する電子看板に関する。
【背景技術】
【０００２】
情報が溢れている現代社会において、マスコミュニケーションは重要な役割を演じている。例えば政府の政令の公告、企業のイメージ、製品の広告、ショーの実況、公共の場における各種メッセージの指示などはいずれも様々な放送の媒体を介して伝達され、大きな効果を達成している。
【０００３】
様々な広告の媒体の中で、電子看板は広告の効果において極めて大きな宣伝効果を具えている。コンピュータの制御とインターネットとの接続を介して従来の電子掲示板は点による静止した広告から全面的な広告効果を具えるようになり、平面的な絵や文字などが固定された静止画像から絵などが動く動画的な映像表現へと発展して、電子看板がさらに変化と弾力性を具えた。また、視覚的な効果も兼ね備えるようになり、他の広告の媒体の宣伝効果を上回るような効果を具えるようになった。
【０００４】
屋外に設けられる電子看板は、高度の輝度と集光性を具えていなければならないため、比較的高い熱が発生する。また、屋外の電子看板は設けられる場所によって、日差しや雨など天気や気候の影響を受ける。よって、電子看板の散熱や防水をどのように有効に行うかが重要な課題となっている。
【０００５】
図１（ａ）、図１（ｂ）、及び図２に、従来の屋外に設ける形式の電子看板を開示する。図面によれば、電子看板は本体１０と、該本体１０の長手方向に形成された第一側面１１と、該第一側面１１に対向して形成された第二側面１２とを含んでなる。該第二側面１２は、表面に複数の貫通孔１２１を設けてなり、該貫通孔１２１の端縁部には外側に突出した突起１２２が設けられる。また、該第一側面１１は、動画、もしくは静止画などの視覚的な映像を表現することができる表示装置からなる。
【０００６】
該本体１０の第一側面１１の表示装置を動かすと、表示装置が高い熱を発生するため、本体１０の内部の気体が熱で温められ、温度が上昇した気体と本体１０の外部の冷たい空気との間に温度差が発生する。よって、対流が発生し、本体１０内部の温められた気体が第二側面１２の複数の貫通孔１２１から外部に放出されて本体１０の熱が散熱され、気体の圧力のバランスを保つことができる。また、本体１０の外が雨の場合、突起１２２が雨を防ぎ、雨水などの液体が本体１０の内部に進入することを防ぐことができる。
【０００７】
しかしながら、上述した従来の電子看板には改良すべき点がある。雨水などの液体はほとんどが突起１２２にせきとめられて本体１０の内部に進入することがないが、わずかな液体が突起１２２に付着して突起１２２を伝って貫通孔１２１の内部から本体１０の内部に進入し、第一側面１１の表示装置が壊れることがある。
【０００８】
図３、図４（ａ）、及び図４（ｂ）に、従来の他の電子看板を開示する。図面によれば、該電子看板は本体２０と、該本体２０の長手方向に形成された第一側面２１と、該第一側面２１に対向して形成された第二側面２２とを含んでなる。該第二側面２２は、少なくとも１以上の貫通孔２２１が設けられ、該貫通孔２２１の端縁部に外側に突出した突起２２２が設けられる。また、該第一側面２１は動画もしくは静止画像など視覚的な画像を表示することができる表示装置からなる。
【０００９】
上述の本体２０は内部に貫通孔２２１に対応する位置に散熱用のファン２３が設けられる。
【００１０】
該本体２０の第一側面２１の表示装置を動かすと、表示装置が高温の熱を発生するため、本体２０内部の気体が熱で温められる。温められた気体は流動してファン２３により強制的に貫通孔２２１から外部に放出されて、本体２０の散熱効果を補助する。また、本体２０の外部が雨の場合、突起２２２により雨水がせきとめられて、雨水などの液体が本体２０の内部に進入することを防ぐことができる。
【００１１】
しかしながら、上述の実施例では、ファン２３を使用するため、図１（ａ）、図１（ｂ）、及び図２に開示する実施例に比べて散熱効果が上昇するが、生産コストが増加する。また、電子看板を屋外に設ける場合、天候など外部の環境の影響を受けるとともに、外部の空気中に存在する多くの灰や塵などが、ファン２３を動かして外部に熱を放出する際にファン２３の表面に付着しやすい。よって、ファン２３を長期間使用すると、灰や塵がファン２３に積もってファン２３の散熱効率が低下するだけでなく、甚だしくはファン２３の使用寿命が短縮される。このため、補修などを行う場合、ファン２３を交換しなければならない。また、突起２２２は前述の実施例と同様に形成されるため、液体が突起２２２に付着して突起を伝わって貫通孔２２１から本体２０の内部に進入する。
【考案の開示】
【考案が解決しようとする課題】
【００１２】
この考案は、液体や灰、塵などが内部に進入することを確実に防ぎ、繰り返し使用することができる防水通気部材を具えた電子看板を提供することを課題とする。
【課題を解決するための手段】
【００１３】
そこで、本発明者は従来の技術に見られる欠点に鑑みて鋭意研究を重ねた結果、本体を含んでなり、該本体は長手方向に少なくとも１以上の第一側面と該第一側面に対向して形成された第二側面を具え、該第二側面には少なくとも１以上の貫通孔が形成され、該貫通孔は少なくとも１以上の防水通気部材の保護層を設けてなり、且つ該防水通気部材が貫通孔の面積よりも大きく形成される電子看板の構造によって課題を解決できる点に着眼し、かかる知見に基づいて本発明を完成させた。
【００１４】
以下、この発明について具体的に説明する。
請求項１に記載する電子看板は、本体を含んでなり、該本体は長手方向に少なくとも１以上の第一側面と該第一側面に対向して形成された第二側面を具え、該第二側面には少なくとも１以上の貫通孔が形成され、該貫通孔は少なくとも１以上の防水通気部材の保護層を設けてなり、且つ該防水通気部材が貫通孔の面積よりも大きく形成される。
【００１５】
請求項２に記載の電子看板は、請求項１における防水通気部材が貫通孔の内側の側面に緊密に貼着する。
【００１６】
請求項３に記載の電子看板は、請求項１における防水通気部材が貫通孔の外側の側面に緊密に貼着する。
【００１７】
請求項４に記載の電子看板は、請求項１における本体の第一側面が表示装置であって、視覚的な画像などを表示する。
【００１８】
請求項５に記載の電子看板は、請求項１における防水通気部材が、複数の貫通孔を形成、もしくは設けてなり、気体が本体の内側から外側、外側から内側へ通過することができる。
【００１９】
請求項６に記載の電子看板は、請求項１もしくは５における防水通気部材が、取り外して洗浄し、繰り返し使用することができる。
【００２０】
請求項７に記載の電子看板は、請求項６における防水通気部材が、ナイロン、ポリプロピレン（ＰＰ）、ポリエチレン（ＰＥ）、ポリエステルなどの材質から形成するか、もしくはそれらを混合した材質から形成する。
【００２１】
請求項８に記載の電子看板は、請求項１、２もしくは３防水通気部材が、ナイロン、ポリプロピレン（ＰＰ）、ポリエチレン（ＰＥ）、ポリエステルなどの材質から形成するか、もしくはそれらを混合した材質から形成する。
【考案の効果】
【００２２】
この考案の電子看板は、防水通気部材を取り外して洗浄し、繰り返し使用することができるため、コストを節減できるという効果を有する。
【考案を実施するための最良の形態】
【００２３】
この考案は、液体や灰、塵などが内部に進入することを確実に防ぎ、繰り返し使用することができる防水通気部材を具えた電子看板であって、本体を含んでなり、該本体は長手方向に少なくとも１以上の第一側面と該第一側面に対向して形成された第二側面を具え、該第二側面には少なくとも１以上の貫通孔が形成され、該貫通孔は少なくとも１以上の防水通気部材の保護層を設けてなり、且つ該防水通気部材が貫通孔の面積よりも大きく形成される。
かかる電子看板の特徴を詳述するために具体的な実施例を挙げ、図示を参照にして以下に説明する。
【実施例】
【００２４】
図５〜図６に、この考案の電子看板を開示する。図面によれば、本体３０と、該本体３０の長手方向に形成された第一側面３１と、該第一側面３１に対向して形成された第二側面３２とを含んでなる。
【００２５】
該第一側面３１は、動画、もしくは静止画など視覚的な画像を表示する表示装置からなり、広告媒体としての効果を達成する。該第二側面３２は表面に少なくとも１以上の貫通孔３２１を設けてなる。
【００２６】
該貫通孔３２１は、第二側面３２を貫通して設けられているため、本体３０の内部が貫通孔３２１を介して外部に接続する。また、該貫通孔３２１には少なくとも１以上の防水通気部材３３が設けられる。該防水通気部材３３は、貫通孔３２１の面積よりも大きく、本体３０の内部から外部に向けた開口に保護層が形成され、且つ防水通気部材３３に複数の孔が設けられているため、気体は通過することができるが、液体が本体３０の内部に進入することを防ぐことができる。
【００２７】
また、上述の防水通気部材３３は貫通孔３２１の外側表面に緊密に貼着して設けられる。
【００２８】
電子看板の第一側面３１の表示装置を動かすと、高い温度の熱が発生し、本体３０の内部の気体が熱により温められる。温められた気体と本体３０の外部の冷たい空気との間に温度差があるため、対流が発生して本体３０内部の温められた気体が防水通気部材３３を通過して複数の貫通孔３２１から外部に放出される。よって、本体３０内部の熱が散熱され、本体の内部と外部の気体の圧力のバランスが維持されるとともに、本体３０の外部の灰や塵などの粒状の物体が内部に進入することを防ぐことができる。
【００２９】
電子看板の本体３０は、雨などの液体が本体３０に降りかかる場合、防水通気部材３３が液体の通過を防ぐ性質を具えているため、液体が貫通孔３２１の外側を流れる時に液体が防水通気部材３３を通過して本体３０の内部に進入することを防ぎ、従来の電子看板の欠点を改善した。
【００３０】
図７、８にこの考案の電子看板の他の実施例を開示する。図面によれば、上述の防水通気部材３３は貫通孔３２１の内部側面に貼着して設けられ、通気、防水及び防塵の効果を有する。
【００３１】
該防水通気部材３３は、ナイロン、ポリプロピレン（ＰＰ）、ポリエチレン（ＰＥ）、ポリエステルなどの材質から形成するか、もしくはそれらを混合した材質から形成する。
【００３２】
前述の防水通気部材３３は、貫通孔３２１の内面、外部側面に緊密に貼着して設けられているだけでなく、貫通孔３２１の内面、外部側面に貼着自在に設けてもよく、一定期間利用した後、防水通気部材３３を水洗いして、再び貫通孔３２１に設けて利用し、防水通気部材の効果を維持することができるだけでなく、コストも抑えることができる。
【００３３】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００３４】
【図１】（ａ）は、従来の電子看板を示した斜視図である。（ｂ）は、（ａ）のＡ視の部分の拡大斜視図である。
【図２】図１に開示する電子看板を示した断面図である。
【図３】従来の電子看板の他の実施例を示した斜視図である。
【図４】（ａ）は、図３に開示する電子看板を示した断面図である。（ｂ）は、（ａ）のＢ視の部分の拡大断面図である。
【図５】この考案の電子看板を示した斜視図である。
【図６】図５に開示する電子看板を示した断面図である。
【図７】この考案の電子看板の他の実施例を開示した斜視図である。
【図８】図７に開示する電子看板を示した断面図である。
【符号の説明】
【００３５】
１０        本体
１１        第一側面
１２        第二側面
１２１      貫通孔
１２２      突起
２０        本体
２１        第一側面
２２        第二側面
２２１      貫通孔
２２２      突起
２３        ファン
３０        本体
３１        第一側面
３２        第二側面
３２１      貫通孔
３３        防水通気部材
【図１】
0003123796.tif 000003
【図２】
0003123796.tif 000004
【図３】
0003123796.tif 000005
【図４】
0003123796.tif 000006
【図５】
0003123796.tif 000007
【図６】
0003123796.tif 000008
【図７】
0003123796.tif 000009
【図８】
0003123796.tif 000010